(57)【特許請求の範囲】
【請求項１】
パーソナルコンピュータと、前記パーソナルコンピュータとインターフェースを介して接続されるハードディスクドライブとを有するパーソナルコンピュータシステムであって、前記ハードディスクドライブは、前記パーソナルコンピュータの型式と前記型式に対応した前記ハードディスクドライブの仕様諸元とを有する情報テーブルと、前記ハードディスクドライブの記憶容量変更手段とを格納する不揮発性記憶素子を有し、前記パーソナルコンピュータは、前記ハードディスクドライブとの間でデータの受け渡しを制御する手段と前記型式とを格納するメモリを有し、前記パーソナルコンピュータの前記型式に対応した前記型式を前記情報テーブルから選択する手段と、前記ハードディスクドライブの前記記憶容量変更手段の実行手段とを有することを特徴とするパーソナルコンピュータシステム。
【請求項２】
前記パーソナルコンピュータは、接続された前記ハードディスクドライブを認識する手段と、前記ハードディスクドライブの前記記憶容量と前記パーソナルコンピュータの前記型式で指定された前記ハードディスクドライブの記憶容量とを比較する比較手段と、接続された前記ハードディスクドライブの前記記憶容量が前記パーソナルコンピュータの前記型式で指定された前記ハードディスクドライブの前記記憶容量より大きいとき、前記メモリに格納されている前記型式に対応する前記型式を前記情報テーブル内から選択する手段と、前記記憶容量変更手段を実行する手段と、前記パーソナルコンピュータの前記型式で指定された前記ハードディスクドライブの記憶容量に変更する手段とを有することを特徴とする請求項１記載のパーソナルコンピュータシステム。
【請求項３】
前記ハードディスクドライブの仕様諸元は、前記記憶容量とヘッド数とセクター数とシリンダ数とを有することを特徴とする請求項１記載のパーソナルコンピュータシステム。
【請求項４】
前記比較手段で比較される接続された前記ハードディスクドライブの前記記憶容量は、前記情報テーブル中の前記ハードディスクドライブの最大記憶容量であることを特徴とする請求項２記載のパーソナルコンピュータシステム。
【請求項５】
前記インターフェースは、インテグレーティッドデバイスエレクトロニクスインターフェースまたはスモールコンピュータシステムインターフェースを有することを特徴とする請求項１記載のパーソナルコンピュータシステム。
【請求項６】
前記不揮発性記憶素子は、リードオンリーメモリを有することを特徴とする請求項１記載のパーソナルコンピュータシステム。
【請求項７】
パーソナルコンピュータと、前記パーソナルコンピュータとインターフェースを介して接続されるハードディスクドライブとを有するパーソナルコンピュータシステムのハードディスクドライブ記憶容量変更方法であって、前記ハードディスクドライブに不揮発性記憶素子を設け、前記不揮発性記憶素子に前記パーソナルコンピュータの型式と前記型式に対応した前記ハードディスクドライブの記憶容量とヘッド数とセクター数とシリンダ数とを有する情報テーブルと前記ハードディスクドライブの記憶容量変更手段とを格納し、前記パーソナルコンピュータのメモリに格納された前記パーソナルコンピュータの前記型式に対応する前記型式を前記情報テーブル内から選択するステップと、前記ハードディスクドライブの前記記憶容量変更手段を実行するステップとを有することを特徴とするパーソナルコンピュータシステムのＨＤＤ記憶容量変更方法。
【請求項８】
前記パーソナルコンピュータは、接続された前記ハードディスクドライブを認識するステップと、前記ハードディスクドライブの前記記憶容量の通知を要求するステップと、前記情報テーブルのデータ転送を要求するステップと、接続された前記ハードディスクドライブの前記記憶容量と前記パーソナルコンピュータの前記型式で指定された前記ハードディスクドライブの記憶容量とを比較するステップと、接続された前記ハードディスクドライブの前記記憶容量が前記パーソナルコンピュータの前記型式で指定された前記ハードディスクドライブの前記記憶容量より大きいとき、前記記憶容量変更手段を要求するステップと、前記メモリに格納されている前記型式に対応する前記型式を前記情報テーブル内から選択するステップと、前記記憶容量変更手段を実行するステップと、前記パーソナルコンピュータの前記型式で指定された前記ハードディスクドライブの前記記憶容量に変更するステップとを有することを特徴とする請求項７記載のパーソナルコンピュータシステムのＨＤＤ記憶容量変更方法。
【請求項９】
前記比較するステップで比較される接続された前記ハードディスクドライブの前記記憶容量は、前記情報テーブル中の前記ハードディスクドライブの最大記憶容量であることを特徴とする請求項８記載のパーソナルコンピュータシステムのＨＤＤ記憶容量変更方法。
【請求項１０】
前記インターフェースは、インテグレーティッドデバイスエレクトロニクスインターフェースまたはスモールコンピュータシステムインターフェースを有することを特徴とする請求項７記載のパーソナルコンピュータシステムのＨＤＤ記憶容量変更方法。
【請求項１１】
前記不揮発性記憶素子は、リードオンリーメモリを有することを特徴とする請求項７記載のパーソナルコンピュータシステムのＨＤＤ記憶容量変更方法。
【請求項１２】
パーソナルコンピュータシステムをハードディスクドライブの記憶容量変更手段、前記ハードディスクドライブの認識手段、接続された前記ハードディスクドライブの記憶容量とパーソナルコンピュータの型式で指定された前記ハードディスクドライブの記憶容量とを比較する比較手段、前記パーソナルコンピュータの前記型式に対応した前記型式を情報テーブルから選択する手段、前記記憶容量変更手段を実行する手段として機能させるためのプログラム。
【発明の詳細な説明】
【０００１】
【発明の属する技術分野】
本発明は、パーソナルコンピュータシステム、そのＨＤＤ記憶容量変更方法およびそのプログラムに関し、特に、パーソナルコンピュータにインターフェースを介して接続されたハードディスクドライブの記憶容量を、パーソナルコンピュータの型式で指定されているハードディスクドライブの記憶容量に自動的に変更するパーソナルコンピュータシステム、そのＨＤＤ記憶容量変更方法およびそのプログラムに関する。
【０００２】
【従来の技術】
近年ハードディスクドライブ（以降、ＨＤＤと称す）は、高速化、大容量化、高密度化、薄型・軽量化の技術の進展において著しいものがあり、また、ＨＤＤが数量ベースで最大使用される電子機器のパーソナルコンピュータのライフサイクルが短いことに伴い、ＨＤＤの供給サイクルも非常に短くなっているが、パーソナルコンピュータの新製品は、通常、標準搭載されるＨＤＤの記憶容量を増大した仕様として差別化を図るケースが多い。
【０００３】
従って、パーソナルコンピュータに発売初期に搭載していた仕様のＨＤＤは、時間の経過に伴い、既に生産中止、在庫無しなどの状態で入手困難な状況となり、市場では初期のＨＤＤより遥かに大容量のＨＤＤが主流を占めるトレンドとなっているため、数年経過した時点で、同一型式のパーソナルコンピュータを顧客に供給することが困難な状況となってくる。
【０００４】
そこで、この問題に対処するため、従来は、ＨＤＤの製造メーカに対し、初期に搭載していたＨＤＤの記憶容量に変更をしたＨＤＤの開発依頼を行い、特別仕様として製品化を行うか、或いは、ＨＤＤの製造メーカにＨＤＤの記憶容量ごとに容量変更プログラムの作成を依頼し、容量変更プログラムを格納したフロッピー（登録商標）ディスク（ＦＤ）の提供を受け、パーソナルコンピュータ生産工場内のラインで、パーソナルコンピュータ本体にＩＤＥ（ＩｎｔｅｇｒａｔｅｄＤｅｖｉｃｅ  Ｅｌｅｃｔｒｏｎｉｃｓ）インタフェースでＨＤＤを接続し、容量変更プログラムが格納されたＦＤをパーソナルコンピュータに搭載されているフロッピー（登録商標）ディスクドライブ（ＦＤＤ）に挿入し、変更したい記憶容量を選択し、ＨＤＤの記憶容量変更の作業を行っていた。
【０００５】
【発明が解決しようとする課題】
上述の従来のＨＤＤの製造メーカに対し特別仕様のＨＤＤの開発依頼を行う対処策は、ＨＤＤの製造メーカは、大量生産のラインとは別枠での少量生産、製品管理、部品管理などに起因して、原価が増大し、従ってＨＤＤの製造メーカからのＨＤＤの購入コストが非常に大きくなるという課題がある。
【０００６】
また、容量変更プログラムが格納されたＦＤによるＨＤＤの容量変更対処策は、生産ラインで作業者がＦＤを用いて手動でＨＤＤの容量変更作業を行うため、余分な作業工数の発生、管理工数の増加に加え、作業ミスの虞れがあるという課題がある。
【０００７】
本発明の目的は、同一型式（仕様）のパーソナルコンピュータを長期間顧客に供給する場合、パーソナルコンピュータの型式に合わせて大容量のＨＤＤの記憶容量を見かけ上減じて初期搭載時のＨＤＤと同一記憶容量に変更して、同一型式のパーソナルコンピュータを顧客に供給する必要が生じてくるが、ＨＤＤをパソコンの型式に合致したＨＤＤの記憶容量に変更する作業を自動化できるパーソナルコンピュータシステム、そのＨＤＤ記憶容量変更方法およびそのプログラムを提供することにある。
【０００８】
【課題を解決するための手段】
本発明のパーソナルコンピュータシステムは、パーソナルコンピュータと、パーソナルコンピュータとインターフェースを介して接続されるハードディスクドライブとを有するパーソナルコンピュータシステムであって、ハードディスクドライブは、パーソナルコンピュータの型式と型式に対応したハードディスクドライブの仕様諸元とを有する情報テーブルと、ハードディスクドライブの記憶容量変更手段とを格納する不揮発性記憶素子を有し、パーソナルコンピュータは、ハードディスクドライブとの間でデータの受け渡しを制御する手段と型式とを格納するメモリを有し、パーソナルコンピュータの型式に対応した型式を情報テーブルから選択する手段と、ハードディスクドライブの記憶容量変更手段の実行手段とを有することを特徴とする。
【０００９】
パーソナルコンピュータは、接続されたハードディスクドライブを認識する手段と、ハードディスクドライブの記憶容量とパーソナルコンピュータの型式で指定されたハードディスクドライブの記憶容量とを比較する比較手段と、接続されたハードディスクドライブの記憶容量がパーソナルコンピュータの型式で指定されたハードディスクドライブの記憶容量より大きいとき、メモリに格納されている型式に対応する型式を情報テーブル内から選択する手段と、記憶容量変更手段を実行する手段と、パーソナルコンピュータの型式で指定されたハードディスクドライブの記憶容量に変更する手段とを有することを特徴とする。
【００１０】
ハードディスクドライブの仕様諸元は、記憶容量とヘッド数とセクター数とシリンダ数とを有することを特徴とする。
【００１１】
比較手段で比較される接続されたハードディスクドライブの記憶容量は、情報テーブル中のハードディスクドライブの最大記憶容量であることを特徴とする。
【００１２】
インターフェースは、インテグレーティッドデバイスエレクトロニクスインターフェースまたはスモールコンピュータシステムインターフェースを有することを特徴とする。
【００１３】
不揮発性記憶素子は、リードオンリーメモリを有することを特徴とする。
【００１４】
本発明のパーソナルコンピュータシステムのＨＤＤ記憶容量変更方法は、パーソナルコンピュータと、パーソナルコンピュータとインターフェースを介して接続されるハードディスクドライブとを有するパーソナルコンピュータシステムのハードディスクドライブ記憶容量変更方法であって、ハードディスクドライブに不揮発性記憶素子を設け、不揮発性記憶素子にパーソナルコンピュータの型式と型式に対応したハードディスクドライブの記憶容量とヘッド数とセクター数とシリンダ数とを有する情報テーブルとハードディスクドライブの記憶容量変更手段とを格納し、パーソナルコンピュータのメモリに格納されたパーソナルコンピュータの型式に対応する型式を情報テーブル内から選択するステップと、ハードディスクドライブの記憶容量変更手段を実行するステップとを有することを特徴とする。
【００１５】
パーソナルコンピュータは、接続されたハードディスクドライブを認識するステップと、ハードディスクドライブの記憶容量の通知を要求するステップと、情報テーブルのデータ転送を要求するステップと、接続されたハードディスクドライブの記憶容量とパーソナルコンピュータの型式で指定されたハードディスクドライブの記憶容量とを比較するステップと、接続されたハードディスクドライブの記憶容量がパーソナルコンピュータの型式で指定されたハードディスクドライブの記憶容量より大きいとき、記憶容量変更手段を要求するステップと、メモリに格納されている型式に対応する型式を情報テーブル内から選択するステップと、記憶容量変更手段を実行するステップと、パーソナルコンピュータの型式で指定されたハードディスクドライブの記憶容量に変更するステップとを有することを特徴とする。
【００１６】
比較するステップで比較される接続されたハードディスクドライブの記憶容量は、情報テーブル中のハードディスクドライブの最大記憶容量であることを特徴とする。
【００１７】
インターフェースは、インテグレーティッドデバイスエレクトロニクスインターフェースまたはスモールコンピュータシステムインターフェースを有することを特徴とする。
【００１８】
不揮発性記憶素子は、リードオンリーメモリを有することを特徴とする。
【００１９】
本発明のプログラムは、パーソナルコンピュータシステムをハードディスクドライブの記憶容量変更手段、ハードディスクドライブの認識手段、接続されたハードディスクドライブの記憶容量とパーソナルコンピュータの型式で指定されたハードディスクドライブの記憶容量とを比較する比較手段、パーソナルコンピュータの型式に対応した型式を情報テーブルから選択する手段、記憶容量変更手段を実行する手段として機能させることを特徴とする。
【００２０】
【発明の実施の形態】
次に、本発明のパーソナルコンピュータシステムの一実施の形態について、図面を参照して説明する。
【００２１】
図１は、本発明のパーソナルコンピュータシステム１の一実施の形態を示す概略構成ブロック図、図２は、図１中のパーソナルコンピュータ１１のＲＯＭの内容を示す図、図３は、図１中のＨＤＤ１２のＲＯＭ２０の内容を示す図、図４は、図３中の情報テーブル２００の内容を示す図である。
【００２２】
図１〜図４を参照すると、パーソナルコンピュータシステム１は、パーソナルコンピュータ１１と、パーソナルコンピュータ１１とＩＤＥインターフェース１４を介して接続されるハードディスクドライブ１２（以降ＨＤＤと略す）とで構成され、パーソナルコンピュータ１１は、全体の制御回路基板であるマザーボード１５と、ＨＤＤ１２、プリンタ、キーボード、ディスプレイなどの周辺機器との間でデータの受け渡しの入出力を制御するプログラムが格納されるＢＩＯＳ（Ｂａｓｉｃ  Ｉｎｐｕｔ  Ｏｕｔｐｕｔ  Ｓｙｓｔｅｍ）用のＲＯＭ（ＲｅａｄＯｎｌｙ  Ｍｅｍｏｒｙ）１３とを備え、ＨＤＤ１２は、情報テーブル２００とＨＤＤ１２の記憶容量変更プログラム２０２とが格納された不揮発性記憶素子であるＲＯＭ２０を備えて構成される。
【００２３】
また、ＲＯＭ２０に格納される情報テーブル２００は、パーソナルコンピュータ１１の型式２１１と、型式２１１に対応したＨＤＤ記憶容量２１２とヘッド数２１３とセクター数２１４とシリンダ数２１５とからなり、一方、ＢＩＯＳ用のＲＯＭ１３は、パーソナルコンピュータ１１の機種、型番を識別するためのパーソナルコンピュータ型式１３２と、ＨＤＤ１２を認識するＨＤＤ認識手段１３１と、接続されたＨＤＤ１２のＨＤＤ記憶容量２１２とパーソナルコンピュータ型式１３２で指定されたＨＤＤ１２の記憶容量とを比較する比較手段１３３と、パーソナルコンピュータ型式１３２に対応する情報テーブル２００内の型式２１１を選択する選択手段１３４と、記憶容量変更プログラム２０２を実行する記憶容量変更プログラム実行手段１３５と、パーソナルコンピュータ型式１３２で指定されたＨＤＤ１２の記憶容量に変更する指定ＨＤＤ記憶容量変更手段１３６とを格納して構成される。
【００２４】
次に、上述のように構成されたパーソナルコンピュータシステム１のＨＤＤ記憶容量変更方法について、図面を参照して説明する。
【００２５】
図５は、パーソナルコンピュータシステム１のＨＤＤ記憶容量変更方法を示すフローチャートである。
【００２６】
図５および図１〜４を参照すると、ＨＤＤ１２をＩＤＥインタフェース１４を介してパーソナルコンピュータ１１と接続し、電源（図示せず）を投入する（ステップ１１）と、ＨＤＤ１２は、初期通知としてレディ状態になったことを通知し（ステップ２１）、パーソナルコンピュータ１１のＢＩＯＳ用のＲＯＭ１３は、ＨＤＤ１２が使用可能状態であることを認識する（ステップ１２）。
【００２７】
ＲＯＭ１３は、ＨＤＤ１２を認識後、ＨＤＤ１２の記憶容量を要求し（ステップ１３）、要求されたＨＤＤ１２は、記憶容量を通知する（ステップ２２）。
【００２８】
ここに、通知する記憶容量は、通常のＨＤＤ１２の仕様で定められている記憶容量であり、即ち、ＨＤＤ１２の持つ最大記憶容量である。
【００２９】
ＲＯＭ１３は、情報テーブル２００のデータ転送を要求し（ステップ１４）、要求を受けたＨＤＤ１２は、情報テーブル２００のデータ転送を行う（ステップ２３）。
【００３０】
次に、ＲＯＭ１３内に格納された比較手段１３３により、ＨＤＤ１２から通知されたＨＤＤ１２の持つ最大記憶容量とパーソナルコンピュータ型式１３２で指定されたＨＤＤ１２の記憶容量とを比較する（ステップ１５）。
【００３１】
いま、一例として、ＲＯＭ１３内に格納されたパーソナルコンピュータ型式１３２がＦＣー５５Ｊで、接続されたＨＤＤ１２の記憶容量が４０ＧＢ（ギガバイト）である場合について説明する。
【００３２】
パーソナルコンピュータ１１に接続されているＨＤＤ１２の記憶容量（４０ＧＢ）とパーソナルコンピュータ型式１３２のＦＣー５５Ｊで指定されたＨＤＤ１２の記憶容量（１０ＧＢ）とを比較手段１３４で比較する（ステップ１５）と、パーソナルコンピュータ１１に接続されているＨＤＤ１２の記憶容量（４０ＧＢ）がＦＣー５５Ｊで指定されたＨＤＤ１２の記憶容量（１０ＧＢ）より大きく、この場合、ＲＯＭ１３は、記憶容量変更プログラム２０２をＨＤＤ１２に対して要求し（ステップ１６）、ＨＤＤ１２は、要求のあった記憶容量変更プログラム２０２をＲＯＭ１３に転送する（ステップ２４）。
【００３３】
なお、接続されているＨＤＤ１２の記憶容量がパーソナルコンピュータ型式１３２で指定されたＨＤＤ１２の記憶容量と同一の場合は、接続されているＨＤＤ１２の記憶容量を変更する必要がないため、終了となる。
【００３４】
ＨＤＤ１２から記憶容量変更プログラム２０２を受信後、ＲＯＭ１３に格納された選択手段１３４により、情報テーブル２００内からパーソナルコンピュータ型式１３２に対応する型式２１１としてＦＣー５５Ｊを選択し（ステップ１７）、記憶容量変更プログラム実行手段１３５により記憶容量変更プログラム２０２を実行し（ステップ１８）、指定ＨＤＤ記憶容量変更手段１３６により、パーソナルコンピュータ型式１３２のＦＣー５５Ｊで指定のＨＤＤ１２の記憶容量（１０ＧＢ）に変更する（ステップ１９）。
【００３５】
この結果、パーソナルコンピュータ１１に接続されているＨＤＤ１２は、正味４０ＧＢの記憶容量（本来、型式２１１のＦＣー８５Ｈに搭載されるＨＤＤ１２）であるにも拘らず、パーソナルコンピュータ型式１３２のＦＣー５５Ｊで指定されたＨＤＤ１２の記憶容量が１０ＧＢ、ヘッド数２１３が１６、セクタ数２１４が６３、シリンダ数が１６，３８３の仕様を持つＨＤＤ１２として使用可能な状態となる。
【００３６】
なお、上記実施の形態では、ＩＤＥインタフェースを有するＨＤＤ１２に関して説明しているが、スモールコンピュータシステムインタフェース（ＳＣＳＩ）を有するＨＤＤの場合も、上述の実施の形態と同等であり、本発明に含まれることはいうまでもない。
【００３７】
【発明の効果】
以上説明したように、本発明のパーソナルコンピュータシステムは、ＨＤＤのＲＯＭに書き込んでいる情報テーブル中の型式をＢＩＯＳ用のＲＯＭに格納されているプログラムが自動的に選択して記憶容量変更プログラムを実行することにより、パーソナルコンピュータ型式で指定されたＨＤＤの記憶容量に変更することができるため、ＨＤＤの容量変更作業を生産ラインで作業者がＦＤを用いて手動で行う必要が無くなり、作業工数および管理工数の低減による製品コストの削減ができ、また、人為的な要因による作業ミスの発生を皆無とすることができ、信頼性向上を図ることができるという効果がある。
【００３８】
また、ＨＤＤの製造メーカに対し特別仕様のＨＤＤの開発依頼を行うことなく、ＨＤＤの市場トレンドに準じたＨＤＤを採用することでＨＤＤの購入コストを抑制し、同一型式（仕様）のパーソナルコンピュータを長期間に亘り、顧客に供給することができるという効果がある。
【図面の簡単な説明】
【図１】本発明のパーソナルコンピュータシステムの一実施の形態を示す概略構成ブロック図である。
【図２】パーソナルコンピュータのＲＯＭの内容を示す図である。
【図３】ＨＤＤのＲＯＭの内容を示す図である。
【図４】情報テーブルの内容を示す図である。
【図５】パーソナルコンピュータシステムのＨＤＤ記憶容量変更方法を示すフローチャートである。
【符号の説明】
１    パーソナルコンピュータシステム
１１    パーソナルコンピュータ
１２    ＨＤＤ
１３、２０    ＲＯＭ
１４    ＩＤＥインターフェース
１５    マザーボード
１３１    ＨＤＤ認識手段
１３２    パーソナルコンピュータ型式
１３３    比較手段
１３４    選択手段
１３５    記憶容量変更プログラム実行手段
１３６    指定ＨＤＤ記憶容量変更手段
２００    情報テーブル
２１１    型式
２１２    ＨＤＤ記憶容量
２１３    ヘッド数
２１４    セクタ数
２１５    シリンダ数
【図１】
0003627701.tif 000002
【図２】
0003627701.tif 000003
【図３】
0003627701.tif 000004
【図４】
0003627701.tif 000005
【図５】
0003627701.tif 000006